(57)【要約】ワイヤレス通信システムにおけるフロントホールネットワークを管理する方法が提案され、フロントホールネットワークは、いくつかの分散ユニットと、１つ以上の中央ユニットとを備える。方法は、フロントホールネットワーク上でフロントホールネットワーク動的構成を実行することを含み、フロントホールネットワーク動的構成は、ワイヤレス通信システムのコントローラにおいて、モバイル端末の測位を示す情報を得ることと、モバイル端末の測位を示す情報に基づいて、複数の分散ユニットの中から１つ以上のアクティブ分散ユニットのセットを得ることと、アクティブ分散ユニットのそれぞれと、１つ以上の中央ユニットのうちの１つ以上の第１の中央ユニットのそれぞれとの間で第１のアソシエーションを決定することと、決定された第１のアソシエーションに従って、アクティブ分散ユニットのそれぞれと、それらの１つ以上の第１の中央ユニットのそれぞれとの間の通信リンクを構成することとを含む。
2021526758.tif 000002
【特許請求の範囲】
【請求項１】
ワイヤレス通信システムにおけるフロントホールネットワークを管理する方法であって、前記フロントホールネットワークは、いくつかの分散ユニットと、１つ以上の中央ユニットとを備え、前記いくつかの分散ユニットのうちの各分散ユニットは、前記１つ以上の中央ユニットのうちの１つの中央ユニットの制御下で、モバイル端末と前記フロントホールネットワークとの間のデータのワイヤレス通信を提供するように構成され、前記方法は、前記フロントホールネットワークの上でフロントホールネットワーク動的構成を実行することを含み、前記フロントホールネットワーク動的構成は、前記ワイヤレス通信システムのコントローラにおいて、
前記モバイル端末の測位を示す情報を得ることと、
前記モバイル端末の測位を示す前記情報に基づいて、前記いくつかの分散ユニットの中から１つ以上のアクティブ分散ユニットのセットを得ることであって、前記１つ以上のアクティブ分散ユニットは、前記フロントホールネットワークとのワイヤレス通信のために前記モバイル端末によって使用可能であることと、
前記アクティブ分散ユニットのそれぞれと、前記１つ以上の中央ユニットのうちの１つ以上の第１の中央ユニットのそれぞれとの間で第１のアソシエーションを決定することと、
前記決定された第１のアソシエーションに従って、前記アクティブ分散ユニットのそれぞれと、それらの１つ以上の第１の中央ユニットのそれぞれとの間の通信リンクを構成することと、
を含む、方法。
【請求項２】
前記アクティブ分散ユニットのそれぞれと、それらの１つ以上の中央ユニットのそれぞれとの間のコネクションを構成することは、前記フロントホールネットワークの前記いくつかの分散ユニットと前記１つ以上の中央ユニットとの中から利用可能なコネクションの行列内のコネクションをアクティベート及び／又はディアクティベートすることを含む、請求項１に記載の方法。
【請求項３】
前記第１のアソシエーションを決定することは、前記モバイル端末と前記フロントホールネットワークとの間のデータ通信スループットを高めるアソシエーションを決定することを含む、請求項１又は２に記載の方法。
【請求項４】
前記フロントホールネットワーク動的構成は、単一周波数ネットワークとして前記アクティブ分散ユニットを構成するために前記アクティブ分散ユニットの無線パラメータを構成することを更に含む、請求項１〜３のいずれか１項に記載の方法。
【請求項５】
前記第１のアソシエーションを決定することは、前記モバイル端末と前記フロントホールネットワークとの間のデータ通信のためのフロントホールネットワークレジリエンシーを高める及び／又は適応させるアソシエーションを決定することを含む、請求項１〜４のいずれか１項に記載の方法。
【請求項６】
前記モバイル端末から受信される測定値は、前記モバイル端末の位置、及び／又は前記モバイル端末の速度、及び／又は前記モバイル端末の移動の方向に関係付けられた測定値を含む、請求項１〜５のいずれか１項に記載の方法。
【請求項７】
前記フロントホールネットワーク動的構成は、フロントホールネットワーク動的構成ループで反復して実行される、請求項１〜６のいずれか１項に記載の方法。
【請求項８】
前記フロントホールネットワーク動的構成ループの１回の反復は、定期的に実行される、請求項７に記載の方法。
【請求項９】
前記モバイル端末の軌跡は、複数の部分に分割され、前記フロントホールネットワーク動的構成ループの１回の反復は、前記軌跡の各部分について実行される、請求項７に記載の方法。
【請求項１０】
前記フロントホールネットワーク動的構成は、前記モバイル端末に、フロントホールネットワーク構成情報を送信することを更に含み、前記フロントホールネットワーク構成情報は、前記１つ以上のアクティブ分散ユニットのセットを示す情報を含む、請求項１〜９のいずれか１項に記載の方法。
【請求項１１】
前記フロントホールネットワーク動的構成は、前記モバイル端末の測位を示す情報、前記モバイル端末の速度を示す情報、及び前記モバイル端末の移動の方向を示す情報に基づいて、前記モバイル端末と測定分散ユニットとの間のワイヤレスリンクに対する無線測定のために前記モバイル端末によって用いられる、前記いくつかの分散ユニットの中の１つ以上の測定分散ユニットのセットを得ることを更に含み、前記フロントホールネットワーク構成情報は、前記１つ以上の測定分散ユニットのセットを示す情報を含む、請求項１０に記載の方法。
【請求項１２】
前記フロントホールネットワーク動的構成は、前記測定分散ユニットのうちの少なくとも１つと前記１つ以上の中央ユニットのうちの１つ以上の第２の中央ユニットのそれぞれとの間の第２のアソシエーションを決定することと、決定された第２のアソシエーションに従って、前記少なくとも１つの測定分散ユニットのそれぞれと、それらの１つ以上の第２の中央ユニットのそれぞれとの間で通信リンクを構成することとを更に含む、請求項１１に記載の方法。
【請求項１３】
プロセッサと、前記プロセッサに作動的に結合されたメモリと、ワイヤレス通信システム内で通信するためのネットワークインターフェースとを備える装置であって、請求項１〜１２のいずれか１項に記載の方法を実行するように構成される、装置。
【請求項１４】
コンピュータ可読媒体内に有形に具現されるコンピュータプログラムコードを含むコンピュータプログラム製品であって、前記コンピュータプログラムコードは、コンピュータシステムに与えられ、実行されると、コンピュータに、請求項１〜１２のいずれか１項に記載の方法を実行させる命令を含む、コンピュータプログラム製品。
【請求項１５】
請求項１４に記載のコンピュータプログラム製品を、圧縮又は符号化することを通して表すデータセット。
【発明の詳細な説明】
【技術分野】
【０００１】
本開示は、ワイヤレスネットワーク管理の分野に関し、特に、高速列車（ＨＳＴ：High Speed Train）通信ネットワークの管理に関する。
【背景技術】
【０００２】
現在のワイヤレス通信システムにおいて、アクセスネットワーク又は無線アクセスネットワークは、いわゆる「フロントホールネットワーク」を含むことができる。このフロントホールネットワークは、高レベル機能を提供する集中化ユニット及び分散ユニット（「ＲＲＭユニット」又は「無線リソース管理ユニット」としても知られている）が、低レベル機能を提供するいわゆる無線ユニットに通信可能に接続されるネットワークである。フロントホールネットワークの設計は、共通公共無線インターフェース（ＣＰＲＩ：common public radio interface）として指定される、ＲＲＭユニットと無線ユニットとの間の通信インターフェースに基づくものとすることができる。ＣＰＲＩは、無線アクセスネットワークの無線アクセスノード（例えば、基地局）を、中央ユニット（ＣＵ）と１つ以上の分散ユニット（ＤＵ）とに分割する内部インターフェースを定義する産業規格である。ＣＵは、ベースバンドユニット（ＢＢＵ）、又は無線機器制御（ＲＥＣ）と称される場合がある。一方、ＤＵは、リモート無線ヘッド（ＲＲＨ）、又は無線機器（ＲＥ）と称される場合がある。ＣＰＲＩは、デジタル化されたベースバンドシグナリングをＣＵとＤＵユニットとの間で送信するように設計されており、全てのレイヤ２動作及びレイヤ３動作がＣＵ内に残される。
【０００３】
発展型フロントホールアーキテクチャは、Ｅｔｈｅｒｎｅｔプロトコルを用いたＣＰＲＩ信号のパケット送信を考慮しており、フロントホールネットワークにおいて用いられるＣＰＲＩインターフェースを介して送信されるデータは、Ｅｔｈｅｒｎｅｔパケットを介してパケット化されて送信される。Ｅｔｈｅｒｎｅｔベースフロントホールの利点は、従来のＣＰＲＩの同相直交（ＩＱ）データブロックシグナリングの代わりに、関連付けられたシグナリングを含むパケット送信の使用を含み、これにより、フロントホールネットワークにわたるパケットのルーティング、スループット粒度が改善されるとともに、ＡＲＱシグナリングを通じたＥｔｈｅｒｎｅｔパケット再送によって、ＣＵとＤＵとの間のデータの送信を保護することが可能になる。
【０００４】
しかしながら、ＣＰＲＩを介してＥｔｈｅｒｎｅｔを用いる現在のネットワークアーキテクチャの欠点は、それらのアーキテクチャがＥｔｈｅｒｎｅｔスイッチを使用し、このＥｔｈｅｒｎｅｔスイッチが、特にネットワークスループット及びネットワークレジリエンシー要件を変更するために適応させるように、効率的な方法で再構成することができない固定スイッチであることである。
【０００５】
そのような欠点は、鉄道通信のためのフロントホールネットワーク（例えば、鉄道の傍に配備されるフロントホールネットワーク）、特に高速列車（ＨＳＴ）上の１つ以上のユーザ機器との鉄道通信（これは、高速のＣＰＲＩトラフィック変動に対処する及び／又はフロントホールネットワークレジリエンスを改善することを要求する）のためのフロントホールネットワークの状況等、特定の状況において非常に問題となる場合がある。これらの要件は、標準的なＥｔｈｅｒｎｅｔスイッチ及び関連Ｅｔｈｅｒｎｅｔプロトコルスイートを用いて対処するのが困難である。
【０００６】
結果として、ＣＰＲＩを介したＥｔｈｅｒｎｅｔがフロントホールネットワーク内で実装されるＨＳＴ通信ネットワークは、そのような欠点に直面する。これに関して、図１は、ロングタームエボリューション（ＬＴＥ）技術に基づくワイヤレスネットワークシステムを含む従来のＨＳＴ通信システム１を示している。ワイヤレスネットワークシステムは、Ｓ１インターフェースを通してコアネットワーク３に接続された無線アクセスネットワーク２を含む。無線アクセスネットワーク２は、複数の基地局（ｅＮｏｄｅＢとも称される）を備え、各ｅＮｏｄｅＢは、Ｅｔｈｅｒｎｅｔパケットが交換されるＣＰＲＩインターフェースを介して、それぞれの分散ユニットＤＵ１〜ＤＵ６に接続された中央ユニットＣＵ＃１〜ＣＵ＃６を備える。列車５ａ上のＬＴＥユーザ機器（５）は、分散ユニットＤＵ３及びＤＵ５を通して、ワイヤレスネットワークシステムとデータ通信する。
【０００７】
中央ユニットＣＵ＃１〜ＣＵ＃６とそれぞれの分散ユニットＤＵ１〜ＤＵ６との間のＣＰＲＩインターフェースのセットは、固定Ｅｔｈｅｒｎｅｔスイッチとみなすことができる。例示した従来のアーキテクチャは、リソース効率が良くなく、スケーラブルでもない。なぜならば、このアーキテクチャは、ＨＳＴと通信するのに必要なリソースを過度に多く見積もるためである。実際、このアーキテクチャは、フロントホールネットワーク配備が、一般的に列車の予想される最大トラフィック密度に合わせて次元化されるので、リソース効率が良くない。また、このアーキテクチャは、追加の分散ユニット及び／又は中央ユニットがフロントホールネットワークに追加される度に、固定Ｅｔｈｅｒｎｅｔスイッチが更新されるべきであるのでスケーラブルでない。特に、図１上に示されるアーキテクチャは、ＨＳＴとの通信に必要なリソースを過度に多く見積もる場合がある。なぜならば、固定Ｅｔｈｅｒｎｅｔスイッチが、ＨＳＴ通信ネットワークの性能についてワーストケースでデータを提供するように構成されるためである。これにより、一般的に、正常のフロントホールネットワーク動作レジームに必要なリソースと比較して、リソースを過度に多く見積もる結果となる。加えて、このアーキテクチャは、無線アクセスネットワークにおける障害が性能及び／又はセキュリティ損失をもたらし得るので、レジリエンシーを欠いている。また、このアーキテクチャは、無線アクセスネットワークアーキテクチャの静的性質が原因で、変化に応答しない。
【０００８】
上述した欠点は、ＨＳＴの高速化によりリソースの過大な見積もり及びＣＰＲＩトラフィック変動が増加し、結果として、改善されたリソース管理及びネットワークレジリエンスの必要性を増加させるので、フロントホールネットワークと１つ又はいくつかの高速列車との間でデータ通信が提供される鉄道通信ネットワークにおいて特に顕著である。
【発明の概要】
【発明が解決しようとする課題】
【０００９】
したがって、当該技術分野における従来の技術について上記で説明した欠点及び不都合な点に対処するワイヤレスネットワーク管理のための方法、及びこの方法を実施するネットワークノードを提供することが必要とされている。
【００１０】
鉄道通信ネットワーク、特にＨＳＴ通信ネットワークの特定の状況における、当該技術分野における従来の技術について上記で説明した欠点及び不都合な点に対処するワイヤレスネットワーク管理のための方法、及びこの方法を実施するネットワークノードを提供することが更に必要とされている。
【００１１】
改善されたリソース管理及び／又は改善されたネットワークレジリエンスを有する、ワイヤレスネットワーク管理のための方法、及びこの方法を実施するネットワークノードを提供することが更に必要とされている。
【００１２】
鉄道通信ネットワーク、特にＨＳＴ通信ネットワークの特定の状況における、改善されたリソース管理及び／又は改善されたネットワークレジリエンスを有する、ワイヤレスネットワーク管理のための方法、及びこの方法を実施するネットワークノードを提供することが更に必要とされている。
【００１３】
本主題開示の目的は、ワイヤレスネットワーク管理のための改善された方法、及びこの方法を実施するネットワークノードを提供することである。
【００１４】
本主題開示の別の目的は、従来のシステムの上記で説明した欠点及び不都合な点を軽減するようにワイヤレスネットワーク管理のための改善された方法、及びこの方法を実施するネットワークノードを提供することである。
【００１５】
本主題開示の更に別の目的は、従来の列車通信システムの欠点及び不都合な点を軽減するワイヤレスモニタリングのための改善された方法、及びこの方法を実施するネットワークノードを提供することである。
【課題を解決するための手段】
【００１６】
これらの目的及び他の利点を達成するために、本主題開示の目的にしたがって、本明細書において具体化されるとともに広く説明されるように、本主題開示の１つの態様では、ワイヤレス通信システムにおけるフロントホールネットワークを管理する方法であって、フロントホールネットワークは、いくつかの分散ユニットと、１つ以上の中央ユニットとを備え、いくつかの分散ユニットのうちの各分散ユニットは、１つ以上の中央ユニットのうちの１つの中央ユニットの制御下で、モバイル端末とフロントホールネットワークとの間のデータのワイヤレス通信を提供するように構成される、方法が提案される。方法は、フロントホールネットワーク上でフロントホールネットワーク動的構成を実行することを含む。フロントホールネットワーク動的構成は、ワイヤレス通信システムのコントローラにおいて、モバイル端末の測位を示す情報を得ることと、モバイル端末の測位を示す情報に基づいて、複数の分散ユニットの中から１つ以上のアクティブ分散ユニットのセットを得ることであって、１つ以上のアクティブ分散ユニットは、フロントホールネットワークとのワイヤレス通信のためにモバイル端末によって使用可能であることと、アクティブ分散ユニットのそれぞれと、１つ以上の中央ユニットのうちの１つ以上の第１の中央ユニットのそれぞれとの間で第１のアソシエーションを決定することと、決定された第１のアソシエーションに従って、アクティブ分散ユニットのそれぞれと、それらの１つ以上の第１の中央ユニットのそれぞれとの間の通信リンクを構成することとを含む。
【００１７】
提案される方法は、有利には、フロントホールネットワークの高速で効率的な再構成を提供し、端末とフロントホールネットワークとの間のデータ通信のスループットを動的に適応させるために、又はネットワークレジリエンシーを動的に適応させるために、そのような再構成が必要とされるか又は望まれる。
【００１８】
いくつかの実施の形態では、フロントホールネットワーク動的構成は、モバイル端末に、フロントホールネットワーク構成情報を送信することを更に含むことができ、フロントホールネットワーク構成情報は、１つ以上のアクティブ分散ユニットのセットを示す情報を含む。
【００１９】
したがって、モバイル端末は、有利には、フロントホールネットワーク構成情報の通知を受けることができ、この情報は、データ通信のスループットの効率性又はネットワークレジリエンシー適応を高めるのに用いることができる。
【００２０】
いくつかの実施の形態では、アクティブ分散ユニットのそれぞれと、それらの１つ以上の中央ユニットのそれぞれとの間のコネクションを構成することは、フロントホールネットワークのいくつかの分散ユニットと１つ以上の中央ユニットとの中から利用可能なコネクションの行列内のコネクションをアクティベート及び／又はディアクティベートすることを含むことができる。
【００２１】
いくつかの実施の形態では、アソシエーションを決定することは、モバイル端末とフロントホールネットワークとの間のデータ通信スループットを高めるアソシエーションを決定することを含むことができる。
【００２２】
いくつかの実施の形態では、フロントホールネットワーク動的構成は、単一周波数ネットワークとしてアクティブ分散ユニットを構成するためにアクティブ分散ユニットの無線パラメータを構成することを更に含むことができる。
【００２３】
いくつかの実施の形態では、アソシエーションを決定することは、モバイル端末とフロントホールネットワークとの間のデータ通信のためのフロントホールネットワークレジリエンシーを高める及び／又は適応させるアソシエーションを決定することを含むことができる。
【００２４】
いくつかの実施の形態では、モバイル端末から受信される測定値は、モバイル端末の位置、及び／又はモバイル端末の速度、及び／又はモバイル端末の移動の方向に関係付けられた測定値を含むことができる。
【００２５】
いくつかの実施の形態では、フロントホールネットワーク動的構成は、フロントホールネットワーク動的構成ループで反復して実行することができる。したがって、この構成は、有利には、トラフィック変化状況及び／又はネットワーク配備変更にフロントホールネットワークを動的に適応させるように、繰り返して実行することができる。
【００２６】
いくつかの実施の形態では、フロントホールネットワーク動的構成ループの１回の反復は、実質的に定期的に実行することができる。
【００２７】
いくつかの実施の形態では、モバイル端末の軌跡は、複数の部分に分割することができ、フロントホールネットワーク動的構成ループの１回の反復は、軌跡の各部分について実行することができる。そのような実施の形態では、本主題開示による動的ネットワーク構成の必要性は、有利には、モバイル端末軌跡の各部分について決定することができ、フロントホールネットワーク再構成は、対応する決定に従ってその部分について実行することができる。有利には、軌跡の部分は、少なくとも１つの部分についてのネットワークフロントホール再構成の履歴に基づいて定義することができる。
【００２８】
いくつかの実施の形態では、フロントホールネットワーク動的構成は、モバイル端末の測位を示す情報、モバイル端末の速度を示す情報、及びモバイル端末の移動の方向を示す情報に基づいて、モバイル端末と測定分散ユニットとの間のワイヤレスリンクに対する無線測定のためにモバイル端末によって用いられる、複数の分散ユニットの中の１つ以上の測定分散ユニットのセットを得ることを更に含むことができ、フロントホールネットワーク構成情報は、１つ以上の測定分散ユニットのセットを示す情報を含むことができる。
【００２９】
いくつかの実施の形態では、フロントホールネットワーク動的構成は、測定分散ユニットのうちの少なくとも１つと、１つ以上の中央ユニットのうちの１つ以上の第２の中央ユニットのそれぞれとの間の第２のアソシエーションを決定することと、決定された第２のアソシエーションに従って、少なくとも１つの測定分散ユニットのそれぞれと、それらの１つ以上の第２の中央ユニットのそれぞれとの間で通信リンクを構成することとを更に含むことができる。
【００３０】
いくつかの実施の形態では、モバイル端末から受信される測定値は、１つ以上の測定分散ユニットに対して実行される無線測定値を含むことができる。
【００３１】
本主題開示の別の態様では、プロセッサと、このプロセッサに作動的に結合されたメモリと、ワイヤレス通信システム内で通信するためのネットワークインターフェースとを備える装置が提案され、この装置は、本主題開示によるネットワーク管理のための提案される方法のうちの任意のものを実行するように構成される。
【００３２】
本主題開示の更に別の態様では、実行されると、メモリに作動的に接続されたプロセッサを備えるネットワークノードに、本主題開示によるネットワーク管理のための提案された方法のうちの任意のものを実行させる実行可能な命令を用いて符号化された非一時的コンピュータ可読媒体が提案される。
【００３３】
本主題開示の更に別の態様では、コンピュータ可読媒体において有形に具現化されたコンピュータプログラムコードを備えるコンピュータプログラム製品であって、上記コンピュータプログラムコードは、コンピュータシステムに提供され、実行されると、上記コンピュータに、本主題開示によるネットワーク管理のための提案された方法のうちの任意のものを実行させる命令を備える、コンピュータプログラム製品が提案される。
【００３４】
本主題開示の更に別の態様では、そのようなコンピュータプログラムを、例えば、圧縮又は符号化することを通して表すデータセットも提案される。
【００３５】
本発明は、限定はしないが、プロセス、装置、システム、デバイスとして、また、現時点で既知であるアプリケーション及び後に開発されるアプリケーションのための方法として含む、数多くの方法において実施し、利用できることは理解されたい。本明細書において開示されるシステムのこれらの、及び他の特有の特徴は、以下の説明及び添付の図面から、より容易に明らかになるであろう。
【００３６】
添付の明細書とともに以下の図面を参照することによって、本主題開示がより深く理解され、その数多くの目的及び利点が当業者にとってより明らかになるであろう。
【図面の簡単な説明】
【００３７】
【図１】１つ以上の実施形態によるＨＳＴ通信システムの全体アーキテクチャを示す概略図である。
【図２】１つ以上の実施形態によるＨＳＴ通信システムの全体アーキテクチャを示す概略図である。
【図３】１つ以上の実施形態による一例示のネットワーク管理プロセスを示すフローチャートである。
【図４】１つ以上の実施形態による、スイッチ／アソシエーション行列を構成する一例示の方法を示すフローチャートである。
【図５】１つ以上の実施形態による、スイッチ／アソシエーション行列を構成する一例示の方法を示す概略図である。
【図６】１つ以上の実施形態による、一例示の集中化スイッチコントローラ特徴を示す概略図である。
【図７】１つ以上の実施形態による、一例示の準集中化（semi-centralized）スイッチコントローラ特徴を示す概略図である。
【図８】１つ以上の実施形態による、一例示の分散スイッチコントローラ特徴を示す概略図である。
【図９】１つ以上の実施形態による、ネットワークノードの一例示の機能を示すブロック図である。
【発明を実施するための形態】
【００３８】
簡潔及び明確に例示するために、図面は構成の一般的な方法を示し、既知の機構及び技法の説明及び細部は、本発明の説明される実施形態の検討を無用に分かりにくくするのを避けるために省略される場合がある。さらに、図面内の要素は必ずしも縮尺どおりに描かれていない。例えば、図面内の要素のうちのいくつかの要素の寸法は、本発明の実施形態を理解しやすくするのを助けるために、他の要素に対して誇張される場合がある。現実世界の条件下であれば極めて対称性が低く、秩序正しくない可能性が高い、直線、鋭い角度及び／又は平行な平面等を有する構造が示されるときのように、或る特定の図は、理解するのを助けるために理想的に示される場合がある。異なる図における同じ参照符号は同じ要素を表し、一方、類似の参照符号は、類似の要素を表す場合があるが、必ずしもそうとは限らない。
【００３９】
さらに、本明細書における教示は、多種多様の形態において具現できること、及び本明細書において開示される任意の具体的な構造及び／又は機能は典型にすぎないことは明らかにすべきである。詳細には、本明細書において開示される態様を、任意の他の態様から独立して実施できること、及びいくつかの態様を種々の方法で組み合わせることができることは当業者には理解されよう。
【００４０】
本開示は、１つ以上の例示の実施形態に従って、機能、エンジン、方法のブロック図及びフローチャート図示、システム、及びコンピュータプログラムを参照して以下で説明される。各説明される機能、エンジン、ブロック図のブロック及びフローチャート図示は、ハードウェア、ソフトウェア、ファームウェア、ミドルウェア、マイクロコード、又はこれらの任意の適した組み合わせにおいて実施することができる。ソフトウェアにおいて実施される場合、機能、エンジン、ブロック図のブロック及び／又はフローチャート図示は、コンピュータプログラム命令又はソフトウェアコードによって実施することができ、コンピュータプログラム命令又はソフトウェアコードは、コンピュータ可読媒体上で記憶又は送信することができ、又は、汎用コンピュータ、専用コンピュータ、又は機械を生成する他のプログラマブルデータ処理装置にロードすることができ、コンピュータ又は他のプログラマブルデータ処理装置上で実行されるコンピュータプログラム命令又はソフトウェアコードは、本明細書において記載される機能を実施する手段を生成するようになっている。
【００４１】
コンピュータ可読媒体の実施形態は、限定はしないが、１つの場所から別の場所へのコンピュータプログラムの転送を容易にする任意の媒体を含む、コンピュータ記憶媒体及び通信媒体の両方を含む。本明細書において、「コンピュータ記憶媒体」は、コンピュータ又はプロセッサによってアクセスすることができる任意の物理的な媒体とすることができる。さらに、「メモリ」及び「コンピュータ記憶媒体」という用語は、限定はしないが、ハードドライブ、フラッシュドライブ若しくは他のフラッシュメモリデバイス（例えば、メモリキー、メモリスティック、キードライブ）、ＣＤ−ＲＯＭ若しくは他の光記憶装置、ＤＶＤ、磁気ディスク記憶装置若しくは他の磁気記憶デバイス、メモリチップ、ランダムアクセスメモリ（ＲＡＭ）、リードオンリーメモリ（ＲＯＭ）、電気的消去可能プログラマブルリードオンリーメモリ（ＥＥＰＲＯＭ）、スマートカード、若しくはコンピュータプロセッサによって読み出すことができる命令若しくはデータ構造の形でプログラムコードを搬送又は記憶するために使用することができる任意の他の適切な媒体、又はその組み合わせ等の、任意のタイプのデータ記憶デバイスを含む。また、種々の形のコンピュータ可読媒体は、ルーター、ゲートウェイ、サーバ又は他の伝送デバイスを含むコンピュータに、有線（同軸ケーブル、ファイバー、ツイストペア線、ＤＳＬケーブル）で、又は無線（赤外線、電波、セルラー、マイクロ波）で、命令を送信又は搬送することができる。命令は、限定はしないが、アセンブリ、Ｃ、Ｃ＋＋、ビジュアルベーシック、ＳＱＬ、ＰＨＰ及びＪＡＶＡ（登録商標）を含む、任意のコンピュータプログラミング言語からのコードを含むことができる。
【００４２】
具体的に他に明示されない限り、以下の説明を通して、処理、コンピューティング、計算、決定等の用語を利用する検討は、コンピューティングシステムのレジスタ又はメモリ内の電子的な量等の物理的な量として表されるデータを操作するか、又は、このデータを、コンピューティングシステムのメモリ、レジスタ若しくは他のそのような情報記憶装置、伝送デバイス若しくは表示デバイス内の物理的な量として同様に表される他のデータに変換する、コンピュータ、又はコンピューティングシステム、又は類似の電子コンピューティングデバイスの動作又はプロセスを指していることは理解されよう。
【００４３】
「備える」、「含む」、「有する」及び任意のその変形のような用語は、非排他的包含を含むことを意図しており、それにより、要素のリストを含むプロセス、方法、物品又は装置は、必ずしもそれらの要素には限定されず、そのようなプロセス、方法、物品又は装置に明記されないか、又は固有でない他の要素を含む場合がある。
【００４４】
さらに、「例示的な」という言葉は、本明細書において、「一例、事例又は例示としての役割を果たすこと」を意味するように使用される。「例示的」として本明細書において説明される任意の実施形態又は設計は、必ずしも、他の実施形態又は設計より好ましいか、又は有利であると解釈されるべきではない。
【００４５】
以下の説明及び特許請求の範囲において、「結合される」及び「接続される」という用語は、その派生語とともに、２つ以上の要素が互いに直接、物理的若しくは電気的に接触しているか、又は２つ以上の要素が互いに直接接触していないが、それでも依然として互いに協働するか、若しくは相互作用することを示すために、違いなく使用される場合がある。
【００４６】
以下の説明及び特許請求の範囲において、「ペイロード」、「ペイロードデータ」、「メッセージ」、「パケット」、及び「データパケット」という用語は、違いなく使用される場合があり、データブロック、データフレーム、プロトコルデータユニット、又は、ノード間若しくは局間で若しくはネットワークにわたってルーティング若しくは送信することができるデータの任意の単位を含むことができる。パケットはビットのグループを含むことができ、グループは、例えば、１つ以上のアドレスフィールド、制御フィールド及びデータを含むことができる。データブロックは、任意の単位のデータ又は情報ビットとすることができる。
【００４７】
本主題開示の実施形態は、多様な応用において用いることができることが理解されるべきである。本発明がこの側面に限定されないものの、本明細書において開示されるアクセスネットワークノードを管理する提案される方法の実施形態は、例えば、ワイヤレス通信システム、例えば、１つ以上の無線技術、例えば時分割多元接続（ＴＤＭＡ）、符号分割多元接続（ＣＤＭＡ）、周波数分割多元接続（ＦＤＭＡ）、直交周波数多元接続（ＯＦＤＭＡ）、単一搬送周波数分割多元接続（ＳＣ−ＦＤＭＡ）等、又はこれらの任意の組み合わせを用いたワイヤレス通信システムの任意のネットワークノード等の多くの装置において用いることができる。このようなワイヤレス通信システムの例は、モバイル通信用グローバルシステム（ＧＳＭ）システム及びその発展型（ジェネラルパケット無線サービス（ＧＰＲＳ）システム、ＧＳＭエボリューション用拡張データレート（ＥＤＧＥ）システムを含む）、ユニバーサルモバイル電気通信システム（ＵＭＴＳ）及びその発展型（高速ダウンリンクパケットアクセス（ＨＳＤＰＡ）、高速パケットアクセス（ＨＳＰＡ）、高速ダウンリンクパケットアクセス（ＨＳＵＰＡ）、及び高速ダウンリンク／アップリンクパケットアクセス（ＨＳｘＰＡ）を含む）、符号分割多元接続（ＣＤＭＡ）システム及びその発展型（ＣＤＭＡ−２０００システムを含む）、ロングタームエボリューション（ＬＴＥ）システム及びその発展型（ＬＴＥアドバンスト（ＬＴＥ−Ａ）システムを含む）、及びそれらの発展型（既存であるか又は将来展開されるかを問わない）を含む。明確にするために、以下の説明は、高速列車（ＨＳＴ）上のモバイル端末にワイヤレス通信を提供するＨＳＴ通信システム等の、列車ユニット上のワイヤレスデバイスのデータ通信のためにワイヤレス送信を提供するワイヤレスネットワークに焦点を当てている。しかしながら、本発明の技術的特徴は、これに限定されない。
【００４８】
本明細書において、「ワイヤレスデバイス」という用語を用いて、ワイヤレスインフラストラクチャネットワークのネットワークノードとのワイヤレス通信が可能な、固定の又は移動性の任意のデバイスを示すことができ、ワイヤレスネットワークに依拠して、移動局（ＭＳ）、モバイル端末（ＭＴ）、移動機器、ユーザ端末、加入者局、ユーザ機器（ＵＥ）、車載ユニット（ＯＢＵ：onboard unit）等と呼ぶことができる。マシンツーマシン（Ｍ２Ｍ）デバイス等のワイヤレスデバイスは、音声通信及びデータ通信、音声通信のみ、又はデータ通信のみをサポートすることができる。
【００４９】
本明細書において、「アクセスポイント」及び「アクセスノード」という用語を違いなく用いて、ワイヤレスデバイスとのワイヤレス通信が可能なワイヤレスインフラストラクチャネットワークの固定ネットワークノードを示すことができ、ワイヤレスネットワークに依拠して、基地局（ＢＳ）、ベーストランシーバー基地局（ＢＴＳ：base transceiver station）、Ｎｏｄｅ−Ｂ、発展型Ｎｏｄｅ−Ｂ（ｅＮＢ）、沿線無線ユニット（ＷＲＵ：Wayside Radio Unit）等と呼ぶことができる。
【００５０】
図２は、本主題開示の１つ以上の実施形態によるＨＳＴ通信システムの全体アーキテクチャを示している。
【００５１】
図２には、ＬＴＥネットワークと、１つ以上のＬＴＥモバイル端末（ＭＴ）（１４）とを含む一例示のワイヤレス通信システム１０が示されている。ネットワークは、アクセスネットワーク（本明細書において「フロントホール」ネットワークとも称される）に接続されたコアネットワーク１１（「バックホール」ネットワークとも称される）を含むことができる。フロントホールネットワークは、中央ユニット（ＣＵ）１２ａ〜１２ｄと、分散ユニット（ＤＵ）１３ａ〜１３ｇとを含む。フロントホールネットワークの基地局は、１つ以上の分散ユニット１３ａ〜１３ｇと、１つの中央ユニット１２ａ〜１２ｄとを含むことができる。ＤＵは、セルと呼ばれるそれぞれの地理的カバレッジエリアにおけるワイヤレス送信を管理する。これらの地理的カバレッジエリアは、２つの近傍セル間のシームレスなハンドオーバーを提供するように部分的に重なり合うことができる。
【００５２】
コアネットワーク１１は、ゾーンコントローラ（ＺＣ）１５を備えることができる。フロントホールネットワークの各基地局は、Ｓ１インターフェースと称される、ゾーンコントローラ１５との論理インターフェースを通してバックホールネットワークに接続することができる。フロントホールネットワークの２つの中央ユニットを、Ｘ２インターフェースと称される論理インターフェースを通して相互接続することができる。１つのＣＵ及び１つのＤＵを、実装することができるＣＰＲＩ及び／又はＯＢＳＡＩ仕様に従ってフロントホールインターフェースを介して相互接続することができるとともに、Ｅｔｈｅｒｎｅｔプロトコル（例えば、１０ギガビットＥｔｈｅｒｎｅｔ、１００ギガビットＥｔｈｅｒｎｅｔ等）を用いて通信するように構成することができる。この事例では、ＣＰＲＩインターフェースは、「ｅ−ＣＰＲＩ」インターフェースと称される場合がある。各ＤＵは、ネットワークのセルを管理することができる。いくつかのアーキテクチャ設計では、同じＤＵを管理する複数のＣＵ間でセルリソースアクセスが衝突するのを回避するように、１つのＤＵを１つのＣＵのみに接続することができる。他のアーキテクチャでは、特にＣＵ障害又はフロントホールインターフェース障害に対する、ネットワークレジリエンシーを高めるように、１つのＤＵを複数のＣＵに接続することができる。
【００５３】
ＭＴ１４は、モバイルとするとともに、高速列車１４ａ上に配置することができる。ＭＴは、少なくとも２つの送信及び／又は受信アンテナを装備することができ、Ｕｕインターフェースと称される論理インターフェースを通してフロントホールネットワークの複数のＤＵ１３ｃ、１３ｅとワイヤレス通信することができる。
【００５４】
Ｕｕインターフェース及びＳ１インターフェースにわたるプロトコルは、一方では、実際のＰＤＵセッションサービスを実施する、すなわち、アクセス層（ＡＳ：access stratum）を通してユーザデータを搬送するプロトコルであるユーザプレーンプロトコルと、他方では、サービスを要求すること、異なる送信リソースを制御すること、及びハンドオーバー等を含む、ＰＤＵセッション及びＵＥとネットワークとの間のコネクションの種々の態様を制御するプロトコルである制御プレーンプロトコルとに分割することができる。
【００５５】
制御プレーン及びユーザプレーンのためのＵｕインターフェース上のアクセス層における使用のために、さまざまな無線インターフェースプロトコルスタックが指定される。無線インターフェースは、一般的に、対応するプロトコルを有する３つのレイヤから構成される。４Ｇ（ＬＴＥ）ネットワークの場合、３ＧＰＰ  ＴＳ  ３６．２００シリーズがレイヤ１（物理レイヤ）を記述し、レイヤ２及びレイヤ３は、３ＧＰＰ  ＴＳ  ３６．３００シリーズ仕様書において記述されている。これらの３つのレイヤ又はそれらの関連付けられたプロトコルについての更なる詳細を得るためには、これらの仕様書を参照することができる。
【００５６】
物理レイヤ（ＰＨＹ）であるレイヤ１は、上位レイヤにデータトランスポートサービスを提供し、レイヤ２の媒体アクセス制御（ＭＡＣ）サブレイヤ及びレイヤ３の無線リソース制御（ＲＲＣ）レイヤとインターフェース接続する。物理レイヤは、ＭＡＣにトランスポートチャネルを提供し、ＰＨＹレイヤが提供するサービスへのアクセスは、ＭＡＣサブレイヤを介したトランスポートチャネルの使用を介して行われる。トランスポートチャネルは、情報が無線インターフェースを介して転送される方法によって特徴付けられる。物理レイヤ手順は、セル探索、電力制御、アップリンク同期及びアップリンクタイミング制御、ランダムアクセス関連手順、ハイブリッド自動再送要求（ＨＡＲＱ：Hybrid Automatic Repeat ReQuest）関連手順、中継関連手順、サイドリンク関連手順、並びにチャネルアクセス手順を含む。
【００５７】
ＬＴＥネットワークのレイヤ２は、次のサブレイヤ、すなわち、媒体アクセス制御（ＭＡＣ）、無線リンク制御（ＲＬＣ）及びパケットデータコンバージェンスプロトコル（ＰＤＣＰ）に分割される。ＭＡＣは、レイヤ２の無線リンク制御（ＲＬＣ）サブレイヤにさまざまな論理チャネルを提供する。ＭＡＣサブレイヤの主なサービス及び機能は、論理チャネルとトランスポートチャネルとの間のマッピング、トランスポートチャネル上の物理レイヤに送達されるトランスポートブロック（ＴＢ）への１つ又はさまざまな論理チャネルに属するＭＡＣ  ＳＤＵの多重化／トランスポートチャネル上の物理レイヤから送達されるＴＢからの１つ又はさまざまな論理チャネルに属するＭＡＣ  ＳＤＵの多重分離、情報報告のスケジューリング、ＨＡＲＱを通じた誤り訂正、１つのＵＥの論理チャネル間の優先度ハンドリング、ダイナミックスケジューリングによるＵＥ間の優先度ハンドリング、ＭＢＭＳサービス識別、トランスポートフォーマット選択、及びパディングを含む。
【００５８】
レイヤ３では、制御プレーンにおいて定義されるＲＲＣサブレイヤの主なサービス及び機能は、非アクセス層（ＮＡＳ）に関係付けられたシステム情報のブロードキャスト、アクセス層（ＡＳ）に関係付けられたシステム情報のブロードキャスト、ページング、ＵＥとＥ−ＵＴＲＡＮとの間の一時識別子の配分及びＲＲＣコネクションのためのシグナリング無線ベアラの構成を含むＵＥとＥ−ＵＴＲＡＮとの間のＲＲＣコネクションの確立、維持及びリリース、低優先度ＳＲＢ及び高優先度ＳＲＢ、キー管理を含むセキュリティ機能、ポイントツーポイント無線ベアラの確立、構成、維持及びリリース、モビリティ機能（セル間モビリティ及びＲＡＴ間モビリティのための報告のＵＥ測定報告及び制御、ハンドオーバー、ＵＥセル選択及び再選択並びにセル選択及び再選択の制御、及びハンドオーバーにおけるコンテキスト転送）、ＭＢＭＳサービスのための通知及びカウント、ＭＢＭＳサービスのための無線ベアラの確立、構成、維持及びリリース、サービス品質（ＱｏＳ）管理機能、ＵＥ測定報告及び報告の制御、ＵＥからＮＡＳへの／ＮＡＳからＵＥへのＮＡＳダイレクトメッセージ転送を含む。
【００５９】
ＲＲＣレイヤの上に位置する非アクセス層（ＮＡＳ）レイヤは、セッション管理等のサービス及び機能を提供する。
【００６０】
図２のフロントホールネットワークのいくつかの配備シナリオでは、ＤＵは、ＨＳＴ１４ａが走行する線路に沿って配備することができる。ＤＵは、中央ユニットに対してパケットを送信／受信するように構成することができる。中央ユニットは、スケジューリング、ルーティング等を含む種々のＬ２／Ｌ３パケット処理タスクを実行するように構成することができる。各基地局のＣＵノードは、基地局内で自身の制御下で動作する複数のＤＵに制御プレーン機能及びユーザプレーン機能の双方を提供することができる。
【００６１】
検討されるシナリオに応じて、異なる論理エンティティ（分散ユニット、制御プレーンＣＵ及びユーザプレーンＣＵ）を種々の方法で物理的に実装及び配備することができる。
【００６２】
図２には、いわゆる「スイッチ／アソシエーション行列」１６も示されている。これは、フロントホールネットワークの中央ユニット（ＣＵ）１２ａ〜１２ｄ及び分散ユニット（ＤＵ）１３ａ〜１３ｇの中のコネクションのセットを表している。フロントホールネットワークは、ＣＵ１２ａ〜１２ｄ及びＤＵ１３ａ〜１３ｇの中の通信リンクのセットにそれぞれ対応する論理フロントホールコネクションのセットのアクティベーション／ディアクティベーションを通じて動的に構成することができる。スイッチ／アソシエーション行列は、以下で「スイッチ行列」及び「アソシエーション行列」とも称される場合がある。ワイヤレス通信システム１０は、スイッチ／アソシエーション行列１６の構成を制御するように構成されたコントローラ１７も備えることができる。１つ以上の実施形態において、スイッチ／アソシエーション行列１６は、フロントホールネットワーク内の各ＣＵから各ＤＵへのパスを定義するように構成されたルーティング行列ユニットを含むことができる。いくつかの実施形態では、各パスは、発信元ＣＵｉ及びターゲットＤＵｊによって定義されるとともに、モバイル端末ＭＴ１４のためのユーザプレーンパケットを発信元ＣＵ１２ａ、１２ｃからターゲットＤＵ１３ｃ、１３ｅにルーティングするように構成されたトンネルを含むことができる。いくつかの実施形態では、スイッチ／アソシエーション行列１６内のパスは、ＣＰＲＩ信号のＥｔｈｅｒｎｅｔパケット化のための任意の適したトンネリングプロトコルを用いて、発信元ＣＵ１２ａ、１２ｃからターゲットＤＵ１３ｃ、１３ｅへの（それぞれ発信元ＤＵからターゲットＣＵへの）トンネリングデータパケットによるダウンリンク（それぞれアップリンク）方向のために実施することができる。他の実施形態では、スイッチ／アソシエーション行列１６内のパスは、発信元ＣＵ及びターゲットＤＵ（それぞれ発信元ＤＵ及びターゲットＣＵ）のためのアドレス情報、例えば発信元レイヤ２アドレス及びターゲットレイヤ２アドレス（例えば、発信元レイヤ２サブレイヤＭＡＣ（媒体アクセス制御）アドレス及びターゲットＭＡＣアドレスを含むアドレスの対）を含むアドレス情報によって、ダウンリンク（それぞれアップリンク）方向のために定義することができる。アドレス情報は、Ｅｔｈｅｒｎｅｔパケット内で提供することができる。スイッチ／アソシエーション行列１６は、この例示の事例では、発信元ＣＵ及びターゲットＤＵのＭＡＣアドレス（及び／又は発信元ＤＵ及びターゲットＣＵのＭＡＣアドレス）を用いるルーティング行列を含むことができる。
【００６３】
当業者であれば、例えばリングトポロジー又はメッシュトポロジー等のフロントホールネットワーク又はバックホールネットワークのための任意の適したネットワークトポロジーを、例示の目的のみで与えられる図２で示されるネットワークトポロジーの代わりに用いることができることを理解するであろう。同様に、任意の適したネットワーク機能アーキテクチャを、例示の目的のみで与えられるシステム１０のアーキテクチャの代わりに用いることができる。さらに、ダウンリンク方向（すなわち、フロントホールネットワークからモバイル端末へのデータ通信）について本明細書において説明される任意の実施形態を、アップリンク方向（すなわち、モバイル端末からフロントホールネットワークへのデータ通信）に入れ替えることができ、それにより、スイッチ／アソシエーション行列１６の任意のパスを、ダウンリンク方向、アップリンク方向、又はダウンリンク方向及びアップリンク方向の双方について構成することができる。
【００６４】
図３は、１つ以上の実施形態による、提案される方法を示している。
【００６５】
本主題開示によれば、ワイヤレス通信システムのフロントホールネットワークは、ワイヤレス通信システムのコントローラによる動的構成／再構成を通じて管理することができる。フロントホールネットワークは、いくつかの分散ユニットと、１つ以上の中央ユニットとを含むことができ、いくつかの分散ユニットのうちの各分散ユニットは、１つ以上の中央ユニットのうちの１つの中央ユニットの制御下で、モバイル端末とフロントホールネットワークとの間のデータのワイヤレス通信を提供するように構成することができる。
【００６６】
フロントホールネットワーク動的構成は、フロントホールネットワーク上で実行することができ、フロントホールネットワーク動的構成は、モバイル端末から測定値を受信すること（２１）を含むことができる。いくつかの実施形態では、モバイル端末から受信される測定値は、モバイル端末の位置又は位置に関係付けられた測定値、モバイル端末の速度に関係付けられた測定値、及び／又はモバイル端末の移動の方向に関係付けられた測定値を含むことができる。
【００６７】
モバイル端末のジオ位置に関する情報は、種々の方法を通じて得ることができ、その結果は、単独で又はそれらの精度を改善するために組み合わせて用いることができる。例えば、モバイル端末は、ジオポジショニング（geo-positioning）センサ（例えば、全地球測位システムセンサ、ガリレオセンサ等）を装備するとともに、そのジオ位置を示す情報をワイヤレス通信システムに送信するように構成することができる。別の例として、ワイヤレス通信システムは、モバイル端末から受信された情報、例えば、モバイル端末がワイヤレス通信する相手であるフロントホールネットワークの基地局（そのような基地局の（例えば分散ユニット又はそれらのリモート無線ヘッドの）ジオ位置は既知である）に基づいて、モバイル端末の位置を特定するように構成することができる。
【００６８】
同様に、モバイル端末のジオ位置に関する情報は、種々の方法を通じて得ることができ、その結果は、単独で又はそれらの精度を改善するために組み合わせて用いることができる。例えば、モバイル端末は、ジオポジショニングセンサ（例えば、全地球測位システムセンサ、ガリレオセンサ等）を装備するとともに、その速度を示す情報をワイヤレス通信システムに送信するように構成することができる。別の例として、ワイヤレス通信システムは、モバイル端末から受信された情報、例えば、ワイヤレス通信システムにおいて得られたモバイル端末のジオ位置に基づいて、モバイル端末の速度を特定するように構成することができる。
【００６９】
また、モバイル端末の移動の方向は、実施形態に応じて、モバイル端末によって特定及び送信することもできるし、例えばジオポジショニング情報等のシステムによって得られたモバイル端末に関する情報に基づいてシステムによって特定することもできる。いくつかの実施形態では、モバイル端末の軌跡は、事前定義するとともに、例えば移動の方向にそれぞれ関連付けられたジオ位置のセットとして、ワイヤレス通信システムのデータベースに記憶することができる。これは、一般的には、例えば、列車が軌跡に対応して識別されるデータベースをシステムに装備することができるＨＳＴ通信システムの場合、又は例えば機械（ロボット）が事前定義された軌跡に従ってモバイルであるように構成されるＩｏＴネットワークの場合に当てはまり得る。
【００７０】
次に、複数の分散ユニットの中の１つ以上のアクティブ分散ユニットのセットを、受信された測定値に基づいて、モバイル端末のために得ることができる（２２）。すなわち、この１つ以上のアクティブ分散ユニットは、フロントホールネットワークとの無線通信のためにモバイル端末によって使用可能とすることができる。
【００７１】
いくつかの実施形態では、分散ユニットは、１つ以上のＣＵとの１つ以上のアクティブアソシエーションのセットアップ又は構成が行われるとアクティブとみなすことができる。すなわち、ＤＵは、フロントホールネットワーク内のこれらの１つ以上のＣＵに対してデータパケットを送信及び／又は受信するように構成することができる。対照的に、測定ＤＵは、アクティブ無線を有するが、フロントホールネットワークのＣＵに関連付けられないＤＵとすることができる。
【００７２】
受信される測定値がモバイル端末の位置及び速度を含み、モバイル端末の軌跡がシステムに既知である実施形態において、そのような軌跡上のモバイル端末の未来の位置を特定することができ、モバイル端末の特定された未来の位置に基づいてアクティブ分散ユニットを識別することができる。すなわち、フロントホールネットワークの分散ユニットの中からいくつかの分散ユニットを選択して、それらの分散ユニットのモバイル端末とフロントホールネットワークとの間のワイヤレスデータ通信の使用を予期することができる。
【００７３】
いくつかの実施形態では、フロントホールネットワーク構成のために決定されるアクティブ分散ユニットのセットは、モバイル端末がその軌跡に沿って移動するにつれて（例えばＨＳＴがそのトラックに沿って移動するにつれて）繰り返し決定することができる。その場合、アクティブ分散ユニットの決定されたセットを、モバイル端末軌跡上の対応する位置に関連付けて、例えばそのような情報を表すデータを記憶するように構成されたデータベースに記憶することができる。
【００７４】
その後、アクティブ分散ユニットのセットは、実施形態に応じて、データベースに記憶されたセットを決定されたセットと比較し、場合によっては比較結果に基づいてデータベースに記憶されたアクティブ分散ユニットデータのセットを更新する目的で、モバイル端末の軌跡上の位置に基づいてデータベースから索出することもできるし、モバイル端末の軌跡上の位置に基づいて決定することもできるし、その双方を行うこともできる。
【００７５】
アクティブ分散ユニットのセットがモバイル端末の位置に応じてこのモバイル端末のために識別されると、次に、識別されたアクティブ分散ユニットを制御する中央ユニットを決定することができる。言い換えれば、得られた分散ユニットのセット内のアクティブ分散ユニットのそれぞれと、１つ以上の中央ユニットのうちの１つ以上の中央ユニットのそれぞれとの間でアソシエーションを決定することができる（２３）。
【００７６】
実施形態に応じて、分散ユニットと中央ユニットとの間のアソシエーションのための具体的なルールを指定することができ、それにより、そのようなルールに従ってアソシエーションを決定することができる。例えば、フロントホールネットワーク配備は、（ネットワークディメンジョニング、機器制限、ネットワークトポロジー等の理由で）同じ分散ユニットを管理する２つの中央ユニットを有することを許可しない可能性がある。
【００７７】
いくつかの実施形態では、フロントホールネットワークトポロジーは、１つの分散ユニットを管理するために複数の中央ユニットのうちの１つ又はいくつかを選択することを許可することができる。それにより、選択することができる１つ又はいくつかの中央ユニットと、モバイル端末のためのアクティブ分散ユニットの得られたセットのうちの１つのアクティブ分散ユニットとの間で、１つ又はいくつかのアソシエーションを決定することができる。単一の中央ユニットと複数のアクティブ分散ユニットとの間でアソシエーションを決定することもできる。
【００７８】
その後、決定されたアソシエーションに従って、アクティブ分散ユニットのそれぞれと、それらの１つ以上の中央ユニットのそれぞれとの間の通信リンクを構成することができる（２４）。いくつかの実施形態では、これには、決定されたアソシエーションに従ってＤＵとＣＵとの間のそれぞれの通信リンクをアクティベートすることが伴う場合がある。それにより、フロントホールネットワークは、決定されたアソシエーションに従って再構成することができる。ＤＵとＣＵとの間の通信リンクをアクティベーティングすることは、そのような通信リンク上で用いられるインターフェースに応じて、そのようなインターフェースをアクティベーティングすること、コネクションをセットアップすること、インターフェースによって用いられる通信プロトコルに従ってデータパスをセットアップすること等を含むことができる。
【００７９】
アクティブ分散ユニットのうちのそれぞれと、それらの１つ以上の中央ユニットのそれぞれとの間の通信リンクの構成には、いくつかの実施形態では、フロントホールネットワークの再構成の一部として何らかの通信リンクのディアクティベーティングが伴う場合もある。
【００８０】
１つ以上の実施形態において、フロントホールネットワーク動的構成は、１つ以上のアクティブ分散ユニットのセットを示す情報を含むフロントホールネットワーク構成情報をモバイル端末に送信することを更に含むことができる。
【００８１】
例えば、モバイル端末がその軌跡に沿って移動するにつれて、モバイル端末は、フロントホールネットワークとのそのワイヤレス通信のために使用可能であるとともに、システムによって選択されているアクティブ分散ユニットについて、システムによって通知を受けることができる。
【００８２】
他の実施形態では、動的フロントホールネットワーク構成又は再構成は、モバイル端末に対して完全にトランスペアレントとすることができ、この構成又は再構成は、モバイル端末がその軌跡に沿って移動するにつれてアクティブ分散ユニット間のハンドオーバーをトランスペアレントな方法で実行することができ、すなわち、任意のフロントホールネットワークに対するそのハンドオーバー動作と比較して変化なく実行することができる。そのような実施形態では、フロントホールネットワークの動的再構成は、モバイル端末の位置に基づいてアクティブＤＵの更新されたセットを（例えば、関連データを記憶するデータベースから）決定すること又は得ることと、アクティブＤＵを制御するＣＵを（例えば、関連データを記憶するデータベースから）決定すること又は得ることと、選択されたＣＵとアクティブＤＵとの間の通信リンクの構成とを含むことができる。
【００８３】
１つ以上の実施形態において、フロントホールネットワーク動的構成は、モバイル端末の測位を示す情報、モバイル端末の速度を示す情報、及びモバイル端末の移動の方向を示す情報に基づいて、モバイル端末と測定分散ユニットとの間のワイヤレスリンクに対する無線測定のためにモバイル端末によって用いられるべき、複数の分散ユニットの中の１つ以上の測定分散ユニットのセットを得ることを更に含むことができる。
【００８４】
いくつかの実施形態では、モバイル端末は、所定の軌跡を有することができ、それにより、その移動の方向に関係付けられた情報は、その軌跡に沿った位置について既知とする（例えば、その軌跡を記憶するデータベースに記憶する）ことができる。そのような事例では、システムは、モバイル端末の測位を示す情報及びモバイル端末の速度を示す情報に基づいて、モバイル端末が測定を実行することを可能とすることができる対象であるＤＵを決定するように構成することができる。
【００８５】
例えば、モバイル端末が時点Ｔ１において第１の位置Ｐ１に位置する場合、その速度に関係付けられた情報は、時点Ｔ２におけるモバイル端末の位置Ｐ２を予測するのに用いることができる。ここで、Ｔ２＞Ｔ１である。
【００８６】
いくつかの実施形態では、モバイル端末は、その軌跡に沿って所定のパスを有することができ、これは例えば、自身のそれぞれの鉄道トラックに沿って所定のパスを有する列車、特にＨＳＴの場合に当てはまる。また、そのような事例では、モバイル端末の速度に関係付けられた情報は、予め定めることができ、その軌跡に沿ったモバイル端末のそれぞれの位置に関連してデータベースに記憶することができるとともに、測定ＤＵのセットの決定に必要とされる場合にデータベースから索出されることによって得ることができる。
【００８７】
他の実施形態では、モバイル端末の速度に関係付けられた情報は、端末から受信することができる。
【００８８】
アクティブＤＵのセット及びＤＵとＣＵとの間のアソシエーションに関して上記で説明したように、典型的にはモバイル端末が同じ軌跡に沿って繰り返し走行する実施形態では、測定ＤＵのセットは、事前に決定しているとともに、モバイル端末のそれぞれの位置に関連付けられた測定ＤＵのセットを表すデータを記憶するように構成されたデータベースに、モバイル端末のそれぞれの位置に関連して記憶することができる。そのような実施形態では、モバイル端末の現在の位置に対応する測定ＤＵのセットは、データベースから索出されることによって得ることができる。
【００８９】
いくつかの実施形態では、測定ＤＵのセットは、事前に決定しているとともに、モバイル端末のそれぞれの位置及びモバイル端末のそれぞれの速度に関連付けられた測定ＤＵのセットを表すデータを記憶するように構成されたデータベースに、モバイル端末のそれぞれの位置及びモバイル端末のそれぞれの速度に関連して記憶することができる。そのような実施形態では、モバイル端末の現在の位置及びモバイル端末の現在の速度に対応する測定ＤＵのセットは、データベースから索出されることによって得ることができる。上記で説明したように、端末の位置及び速度は、それぞれ端末によって測定するとともに端末から受信することもできるし、端末とのワイヤレス通信に基づいてシステムによって特定することもできる。
【００９０】
１つ以上の実施形態において、１つ以上の測定分散ユニットのセットが決定されると、システムは、例えばフロントホールネットワーク構成情報に含まれる、１つ以上の測定分散ユニットのセットを示す情報をモバイル端末に送信するように構成することができる。モバイル端末は、１つ以上の測定分散ユニットのセットを示すそのような情報を受信することに進み、測定分散ユニットから受信された無線信号に対する測定を実行するように構成することができる。いくつかの実施形態では、モバイル端末は、測定分散ユニットを用いて実行された測定の結果得られた測定データをコントローラに送信するように更に構成することができる。
【００９１】
測定分散ユニットのセットは、好ましくは、アクティブ分散ユニットのセットを含むことができる。なぜならば、モバイル端末は、アクティブ分散ユニットと交換される無線信号に対しても測定を実行するように構成することができるためである。
【００９２】
１つ以上の実施形態において、アソシエーションは、モバイル端末とフロントホールネットワークとの間のデータ通信スループットを高めるという目的で決定することができる。
【００９３】
また、アソシエーションは、モバイル端末とフロントホールネットワークとの間のデータ通信のためのフロントホールネットワークのレジリエンシーを高めるという目的で決定することができる。
【００９４】
ここで、本主題開示の種々の実施形態を、図２上に示される例示のシステムを参照して説明する。
【００９５】
いくつかの実施形態では、ＨＳＴモバイル端末１４は、アクティブＤＵセット１８よりも大きいＤＵのセット、すなわち測定セット１９からの無線信号を測定するように構成することができる。測定値及び追加のネットワーク情報、例えば列車の現在の位置、現在の速度、及び／又は伝播の無線パラメータマップをモバイル端末１４によってスイッチコントローラ１７に送信することができ、スイッチコントローラ１７は、ＣＵ／ＤＵアソシエーション行列１６を構成するのにそのような情報を用いるように構成することができる。
【００９６】
実施形態に応じて、以下のように、フロントホールのアソシエーション行列１６の動的（再）構成のためにいくつかの基準を用いることができる。
【００９７】
いくつかの実施形態では、スイッチ／アソシエーション行列１６は、モバイル端末１４のモビリティに従ってＣＵとＤＵとの間のシームレスなコネクティビティを提供するように動的に構成することができる。アソシエーションは、モバイル端末がアクティブＤＵセット１８に関連付けられている限りアクティブＤＵセット１８とＣＵの特定のセットとの間でアクティベートすることができ、モバイル端末がアクティブＤＵセット１８から移動して離れるとディアクティベートすることができる。そのような実施形態では、アクティブＤＵセットは、モバイル端末１４がその軌跡に沿って移動するにつれて（列車１４ａがその鉄道トラックに沿って移動するにつれて）フロントホールネットワークのために配備されたＤＵのセットに沿ってスライドしているＤＵのセットとみなすことができる。
【００９８】
いくつかの実施形態では、スイッチ／アソシエーション行列１６は、モバイル端末１４のその軌跡に沿った速度を含む再構成パラメータに基づいて再構成が実行されるべきか否かを判断するフロントホールネットワーク再構成更新関数に従って構成／再構成することができる。例えば、いくつかの実施形態では、フロントホール構成レイテンシーは、ＨＳＴの速度が増加すると低減することができ、及び／又は、フロントホール構成レイテンシーは、ＨＳＴの低速度の場合に増加し得る。フロントホール構成レイテンシーは、いくつかの実施形態では、所定の構成レイテンシーをＨＳＴ速度にそれぞれ関連付けることができるルックアップテーブルに基づいて特定することができる。
【００９９】
いくつかの実施形態では、スイッチ／アソシエーション行列１６は、アクティブＤＵセットに提供される総スループットを最大化する、ＣＵとＤＵとの間のコネクションを提供するように動的に構成することができる。この最適化は、いくつかの実施形態では、異なるフロントホールアソシエーションに対するスループット限界を考慮に入れることができ、これは、例えばフロントホール内で輻輳が検出される場合、又はアソシエーション行列が異なる異種の有線コネクションから形成される場合に生じ得る。
【０１００】
いくつかの実施形態では、スイッチ／アソシエーション行列１６は、検出される、又はモバイル端末１４のモビリティの間に生じ得る輻輳からＣＵとＤＵとの間のアソシエーションを保護するために、フロントホール冗長性を高め及び／又は適応させるように動的に構成することができる。
【０１０１】
１つ以上の実施形態において、スイッチコントローラ１７は、モバイル端末１４において複数のアクティブＤＵ１３ｃ、１３ｅから受信されるデータのスループットを改善するようにアクティブＤＵエリアを単一周波数ネットワーク（ＳＦＮ）に構成するために、アクティブＤＵの無線パラメータを設定するように構成することができる。スイッチコントローラ１７は、ＳＦＮエリアに寄与する、ＣＵとＤＵとの間のコネクションも同様に構成するとともに、ＤＵとモバイル端末１４との間のマルチポイント送信をセットアップするように更に構成することができる。１つ以上の実施形態において、スイッチコントローラ１７は、単一周波数ネットワーク構成をセットアップするために、ＨＳＴの測定値に基づいて、アクティブＤＵのセットを決定するとともに、アクティブＤＵのセットの無線パラメータを変更するように構成することができる。スイッチコントローラ１７は、単一周波数ネットワークのＣＵとアクティブＤＵとの間の送信を協調するために、ＣＵとアクティブＤＵとの間のアソシエーション及びＣＵ同士の間のアソシエーションをセットアップするように構成することができる。モバイル端末１４は、協調されたマルチポイント送信を開始するために、ＳＦＮネットワークの異なるアクティブＤＵから受信されるデータパケットの組み合わせに関する情報を含むシグナリングデータをネットワークから受信することができる。協調されたマルチポイント送信により、モバイル端末が、高速列車において受信されるスループットを高めるために、複数のＤＵから協調されるとともに干渉のない送信を受信することが可能になる。
【０１０２】
１つ以上の実施形態において、スイッチコントローラ１７は、モバイル端末１４によって実行された受信された測定に基づいて、アクティブＤＵセット１８、測定ＤＵセット１９、及びＣＵセットを決定するように構成することができる。いくつかの実施形態では、測定ＤＵセット１９は、スイッチ／アソシエーション行列１６の未来の再構成のために用いられることになるＤＵを選択するのに用いることができる。いくつかの実施形態では、ＣＵセットは、有利には、ＣＵの中の負荷バランシングのために、例えば未来のフロントホール再構成に寄与し得るＣＵの中の比較的負荷が少ないＣＵを含むＣＵのセットとして、決定することができる。
【０１０３】
いくつかの実施形態では、アクティブＤＵセット１８、測定ＤＵセット１９、及び／又はＣＵセットは、モバイル端末１４の位置に基づいて決定することができる。
【０１０４】
いくつかの実施形態では、アクティブＤＵセット１８、測定ＤＵセット１９、及び／又はＣＵセットは、モバイル端末１４の速度に基づいて更に決定することができる。実施形態において、測定ＤＵ１９のサイズは、モバイル端末１４の速度が所定の閾値（例えば、およそ１５０ｋｍ／ｈとすることができる）よりも高い場合に動的フロントホール構成を予期するために、増加させることができる。いくつかの実施形態では、アクティブＤＵセット１８は、モバイル端末１４が線路側部に沿って接続されるＤＵを含むＤＵのセットとして決定することができる。
【０１０５】
いくつかの実施形態では、アクティブＤＵセット１８、測定ＤＵセット１９、及び／又はＣＵセットは、線路上のトラフィックに基づいて決定することができる。例えば、線路内で現在アクティブであるＮ個の列車にそれぞれ対応するＮ個のモバイル端末が存在する場合、アクティブＤＵセット１８及び測定ＤＵセット１９及び／又はＣＵセットは、Ｎ個の異なるモバイル端末のために共同で決定することができる。
【０１０６】
いくつかの実施形態では、アクティブＤＵセット１８、測定ＤＵセット１９、及び／又はＣＵセットは、測定される線路干渉プロファイル、すなわち、モバイル端末において測定される干渉のパワー、及び／又は異なるモバイル端末に関連付けられたアクティブＤＵ同士の間の干渉に基づいて決定することができる。したがって、アクティブＤＵは、その配備のモバイル端末にわたって最も干渉を与えているＤＵとして決定することができる。ＨＳＴの事例では、アクティブＤＵは、シナリオ内の多数のＨＳＴにわたって干渉を与えているＤＵとすることができる。
【０１０７】
１つ以上の実施形態において、スイッチコントローラ１７は、モバイル端末１４の位置に基づいて、コネクティビティを提供するとともにアクティブＤＵに提供されるスループットを改善するために、スイッチ／アソシエーション行列１６を動的に構成／再構成するように構成することができる。
【０１０８】
いくつかの実施形態では、スイッチ／アソシエーション行列１６の構成は、比較的負荷が少ないＣＵ、並びに、測定ＤＵのセットの決定から得られるＤＵ（すなわち、測定ＤＵ）、及びモバイル端末１４によって最も良好に受信されるＤＵ（例えば、実施形態に応じて、動的に更新することも固定とすることもできる所定の閾値を超える信号対雑音（ＳＮＲ）比を有するモバイル端末１４によって受信されるＤＵ）の中から論理フロントホールコネクションを設定することを含むことができる。これにより、有利には、ＣＵと測定ＤＵのセットのうちのＤＵとの間のコネクションを準備することによってモバイル端末１４のハンドオーバーを予期することが可能になり、それにより、スイッチ／アソシエーション行列１６再構成のハンドオーバーレイテンシーが改善されるとともに、モバイル端末１４によって提供されるスループットが最適化される。
【０１０９】
いくつかの実施形態では、スイッチ／アソシエーション行列１６の構成は、利用可能なＣＵ、並びに、測定ＤＵのセットのうちのＤＵ、及びモバイル端末１４によって最も良好に受信されるＤＵ（例えば、実施形態に応じて、動的に更新することも固定とすることもできる所定の閾値を超えるＳＮＲを有するモバイル端末１４によって受信されるＤＵ）のうちの任意のものの中からの論理フロントホールコネクションを設定することを含むことができる。これにより、有利には、ＣＵと測定ＤＵのセットのうちのＤＵとの間のコネクションを準備することによってモバイル端末１４のハンドオーバーを予期することが可能になり、それにより、スイッチ／アソシエーション行列１６再構成のハンドオーバーレイテンシーが改善される。
【０１１０】
いくつかの実施形態では、スイッチ／アソシエーション行列１６の構成は、利用可能なＣＵ、並びに、測定ＤＵのセットのうちのＤＵ、及びモバイル端末１４によって最も良好に受信されるＤＵ（例えば、実施形態に応じて、動的に更新することも固定とすることもできる所定の閾値を超えるＳＮＲを有するモバイル端末１４によって受信されるＤＵ）の間のフロントホールコネクション容量を決定することを含むことができる。スイッチコントローラ１７は、容量に基づいて、測定セットからのＤＵに提供されるスループットの総和を最大化する、ＣＵとＤＵとの間のアソシエーションのサブセット、すなわち、ＣＵ／ＤＵアソシエーション問題、すなわち、モバイル端末とのデータ通信のフロントホールネットワークスループットが最大化されるようにＣＵ／ＤＵアソシエーションを構成するという問題を解決するアソシエーションのサブセットを決定するように構成することができる。アソシエーションの得られたサブセットは、ＣＵとアクティブＤＵとの双方を決定することができる。
【０１１１】
１つ以上の実施形態において、スイッチ／アソシエーション行列１６冗長性を、ＣＵの障害、ＤＵの障害及び／又はＣＵとＤＵとの間の通信リンクの障害からフロントホールネットワークを保護するために、構成／再構成することができる。
【０１１２】
いくつかの実施形態では、スイッチ／アソシエーション行列１６冗長性は、ＣＵに接続されたスイッチ／アソシエーション行列１６内のＤＵの数としてスイッチ／アソシエーション行列１６のＣＵについて定義されたＣＵ階級基準に基づいて更新することができる。スイッチ／アソシエーション行列１６の構成は、そのような実施形態では、ＣＵに接続されたＤＵの障害がスイッチ／アソシエーション行列１６内で期待／予期される場合、ＣＵ階級を高めることを含むことができる。例えば、ＣＵに接続されたＤＵの障害の事例では、障害を起こしているＤＵに意図されたＣＵのデータパケットを、より低いレイテンシーで再送し、及び／又は、モバイル端末１４のために決定されたアクティブＤＵにブロードキャストすることができる。
【０１１３】
いくつかの実施形態では、スイッチ／アソシエーション行列１６冗長性は、ＤＵに接続されたＣＵの数としてスイッチ／アソシエーション行列１６のＤＵについて定義されたＤＵ階級基準に基づいて更新することができる。スイッチ／アソシエーション行列１６の構成は、そのような実施形態では、ＤＵに接続されたＣＵの障害がスイッチ／アソシエーション行列１６内で期待／予期される場合、ＤＵ階級を高めることを含むことができる。例えば、複数のＤＵに接続されたＣＵの障害の事例では、ＤＵのアップリンクパケットをＤＵのＣＵプール内の別のＣＵに再送することができ（ここで、ＤＵのＣＵプールは、ＤＵが接続されるＣＵのセットである）、スイッチ／アソシエーション行列１６の再構成に進むことができる。
【０１１４】
いくつかの実施形態では、スイッチ／アソシエーション行列１６冗長性は、ＣＵの決定されたセット内の任意のＣＵから、所定の閾値よりも低いレイテンシーを有するＣＵのセットのうちのＣＵに接続されたＤＵのセット内の任意のＤＵへのパスの平均数に基づいて更新することができる。これらのパスは、ＣＵ−ＤＵアソシエーション、及び、ＣＵセット内の異なるＣＵ同士のコネクションを考慮する。スイッチ／アソシエーション行列１６の構成は、そのような実施形態では、ＣＵとＤＵとの間、及びＣＵ同士の間の複数のアソシエーション障害がスイッチ／アソシエーション行列内で検出される場合、制御可能なレイテンシーを有する追加のＣＵ／ＤＵアソシエーション及び／又はＣＵ／ＣＵコネクションを確立することによって、パスのこの平均数を増加させることを含むことができる。
【０１１５】
図４は、１つ以上の実施形態による、スイッチ／アソシエーション行列を構成する方法を示すフロー図である。図５は、１つ以上の実施形態による、スイッチ／アソシエーション行列を構成する方法を示している。
【０１１６】
図２及び図５を参照すると、列車１４ａが走行する線路のモデルは、Ｋ個の部分｛Ｐｏｒｔｉｏｎ＿ｉ｝ｉ＝１，．．．，Ｋを含むことができ、各部分Ｐｏｒｔｉｏｎ＿ｉは、線路部分に沿って配備されたＮ個の分散ユニット｛ＤＵ（ｉ，ｊ）｝ｊ＝１，．．．，Ｎを含む。いくつかの実施形態では、フロントホールネットワーク動的構成は、フロントホールネットワーク動的構成ループの反復で実行することができ、ループの１回の反復は、線路モデルの各部分について実行される。スイッチコントローラ１７は、列車１４ａが第ｋの部分Ｐｏｒｔｉｏｎ＿ｋに進入したと検出すると、フロントホールネットワーク動的構成ループの第ｋの反復を実行するように構成することができる。ループの第ｋの反復は、測定ＤＵセット１９の決定３０、部分Ｐｏｒｔｉｏｎ＿ｋ＋１のためのアクティブＤＵセット１８及びＣＵの決定３１、並びにいくつかの実施形態では、場合によってはモバイル端末１４からコントローラ１７によって受信される測定情報に基づいて、フロントホール再構成の更なる遅延を吸収するために追加されることになる追加のＤＵの決定（図示せず）を含むことができる。実際には、いくつかの実施形態では、モバイル端末は、自身が現在位置する部分（Ｐｏｒｔｉｏｎ＿ｋ）に後続する部分（Ｐｏｒｔｉｏｎ＿ｋ＋１）に関係付けられた測定を実行し、これらの測定から生成された測定情報をコントローラ１７に送信することができる。モバイル端末１４から受信された測定情報は、測定ＤＵセット１９の決定３０、部分Ｐｏｒｔｉｏｎ＿ｋ＋１のためのアクティブＤＵセット１８及びＣＵの決定３１（アクティブＤＵセット１８は、いくつかの実施形態では、決定された測定ＤＵセット１９に基づいて（例えば、測定ＤＵセット１９のサブセットとして）決定される）、及び／又は場合によっては追加ＤＵの決定のためにコントローラ１７によって用いることができる。ループの第ｋの反復は、その後、潜在的に、スイッチ／アソシエーション行列１６によって部分Ｐｏｒｔｉｏｎ＿ｋ内のＤＵに提供されるスループットを高めるために、スイッチ／アソシエーション行列１６内のＣＵとＤＵとの間のアソシエーションの更新３２を含むことができ、これにより、更新されたアソシエーションに従ったフロントホールネットワークの再構成がもたらされる場合ももたらされない場合もある。いくつかの実施形態では、部分Ｐｏｒｔｉｏｎ＿ｋの冗長性についての決定３４も実行することができ、フロントホールネットワークは、それに応じて再構成することができる。更新されたアソシエーションに従って部分Ｐｏｒｔｉｏｎ＿ｋに対応するフロントホールネットワークを構成する（３５）と、ループの第ｋの反復が完了し、場合によっては、その後ループインデックスｋが増分され（３６）、線路モデルに従った後続の部分（Ｐｏｒｔｉｏｎ＿ｋ＋１）に進入すると後続のループ反復が実行される。
【０１１７】
１つ以上の実施形態において、線路は、線路全体に対応する単一部分としてモデル化することができる。スイッチコントローラ１７は、線路上に存在する高速列車のためのアクティブＤＵセット及び測定ＤＵセット並びに対応するＣＵを決定するように構成することができる。スイッチコントローラ１７は、その後、ＣＵとＤＵとの間のアソシエーション、及び／又は最終的にはフロントホールネットワークの冗長性を更新するように更に構成することができる。
【０１１８】
以下のように、本明細書において開示されるコントローラ機能の種々の実施形態を検討することができる。図６は、１つ以上の実施形態による、集中化スイッチコントローラ特徴を示している。
【０１１９】
１つ以上の実施形態において、線路は、いくつかのゾーンに分割することができ、各ゾーンがゾーンコントローラによって制御される。図６は、線路の１つのゾーン４０を示しており、ゾーン４０は、ゾーンコントローラ１５によって制御される。ゾーンコントローラ１５は、モビリティ管理エンティティ（ＭＭＥ）として構成されたノード及び／又はサービングゲートウェイ（Ｓ−ＧＷ）として構成されたノード等のＬＴＥコアネットワークノード／サーバ１５ａを備えることができ、ゾーン４０内の列車１４ａの速度プロファイルを設定するように構成することができ、各ゾーンは、Ｋ個のトラックを含むことができ、各トラックは、対応するスイッチ／アソシエーション行列１６ａ、１６ｂに関連付けられる。ゾーン内のスイッチ／アソシエーション行列１６ａ及び１６ｂを制御するように構成されたスイッチコントローラを、ゾーンコントローラ１５と共同配置することができ、又は図６に示すように、スイッチコントローラ特徴１７をゾーンコントローラ１５内に実装することができる。スイッチコントローラ特徴１７を実装するゾーンコントローラ１５は、本主題開示に従ってスイッチコントローラ特徴１７に関する提案される方法の実施形態を実行するように構成することができる。特に、スイッチコントローラ特徴１７を実装するゾーンコントローラ１５は、いくつかの実施形態では、列車１４ａから測定値（例えば、モバイル端末１４の測位、列車１４ａの測位、モバイル端末１４の速度、列車１４ａの速度等に関係付けられた測定値）を受信し、及び／又は、フロントホールネットワークからのネットワーク状態情報（例えば、フロントホール輻輳インジケータ）を受信するように構成することができる。スイッチコントローラ特徴１７を実装するゾーンコントローラ１５は、ゾーン４０に関連付けられたスイッチ／アソシエーション行列１６ａ、１６ｂのうちの１つ以上を構成するために受信された測定値及び／又は受信されたネットワーク状態情報を用いるように更に構成することができる。フロントホールネットワーク再構成は、線路上に分布する列車にそれぞれ対応するアクティブＤＵのセットに提供されるスループットを改善するスイッチ／アソシエーション行列１６ａ、１６ｂのうちの１つ以上内でＣＵ−ＤＵアソシエーションを決定することを含むことができる。
【０１２０】
上記で説明したように、フロントホールネットワーク再構成は、いくつかの実施形態では、ＣＵの障害、ＤＵの障害及び／又はアソシエーションの障害からＣＵ−ＤＵアソシエーションを保護するために、スイッチ／アソシエーション行列１６ａ、１６ｂ内のＣＵ−ＤＵアソシエーションの冗長性を変更するように実行することもできる。スイッチコントローラ１７は、各アクティブＤＵセットを単一周波数ネットワーク（ＳＦＮ）エリアに構成するように構成することができる。いくつかの実施形態では、アクティブＤＵは、スイッチコントローラによって、ＳＦＮネットワークエリア環境内で、協調されたマルチポイント送信を用いてＨＳＴにデータを送信するように構成することができる。
【０１２１】
集中化コントローラを用いる実施形態は、有利には、ＬＴＥネットワークとの後方互換を有することができる。すなわち、スイッチコントローラは、実際には、ＬＴＥ  ＭＭＥノード内に位置することができ、ＣＵ／スイッチコントローラキテクチャは、３ＧＰＰ技術仕様ＴＳ  ３６．４１３内で指定されるＬＴＥ  Ｓ１アプリケーションプロトコル（Ｓ１ＡＰ）に基づくことができる。
【０１２２】
集中化コントローラを用いる実施形態の別の利点は、ゾーンのスイッチ／アソシエーション行列のノードから全ての上記で説明したネットワーク状態情報を受信するスイッチコントローラに起因した性能のレベルであり、一方、コントローラは、線路の全てのスイッチのためにフロントホールネットワークを構成／再構成するように構成することができる。
【０１２３】
図７に示されるように、１つ以上の実施形態において、スイッチコントローラ特徴１７は、ゾーンコントローラ１５内に実装される部分と１つ以上のローカルスイッチコントローラ１７ｂ、１７ｃとの間で分割することができる。スイッチコントローラ１７のゾーンコントローラ部分１７ａは、ゾーン４０内のフロントホールネットワークの冗長性を更新するように構成することができる一方、ローカルスイッチコントローラ部分１７ｂ、１７ｃは、フロントホールネットワークと列車との間の通信リンクのスループットが改善されるように、１つ以上のスイッチ／アソシエーション行列１６ａ、１６ｂ内のＣＵ−ＤＵアソシエーションを更新するように構成することができる。
【０１２４】
準集中化スイッチコントローラ実施形態は、有利には、集中化スイッチコントローラ実施形態と比較して、融通性を高めるとともに複雑度を低減させるために用いることができる。加えて、準集中化スイッチコントローラ実施形態は、ゾーンコントローラノード内の高められた耐障害性を提供する。
【０１２５】
図８に示されるように、１つ以上の実施形態において、スイッチコントローラ１７は、スイッチ／アソシエーション行列のアソシエーションを更新するように構成されたいくつかのローカルスイッチコントローラ１７（ｚ）に分割して、列車上のモバイル端末とのデータ通信のスループットを改善し、及び／又はそれぞれのゾーン４０内のフロントホールネットワークの冗長性を改善することができる。ローカルスイッチコントローラ１７（ｚ）は、ゾーンコントローラ１５と共同配置することもゾーンコントローラ１５内に実装することもできない場合があり、例えば、ゾーンのＤＵ、又はゾーンコントローラよりもＤＵに近いローカルゲートウェイ（Ｌ−ＧＷ）の隣に実装することができる。
【０１２６】
分散スイッチコントローラ実施形態は、有利には、他の実施形態と比較して適応性を高めるとともに複雑度を低下させるために用いることができる。加えて、分散スイッチコントローラ実施形態は、有利には、準集中化スイッチコントローラ実施形態に対してより少ないシグナリングオーバーヘッドを伴う。なぜならば、複数の分散ローカルコントローラと中央スイッチコントローラとの間で協調を行う必要がないためである。ただし、これには、場合によっては、ローカルスイッチコントローラ間シグナリングの増加を犠牲にすることが伴う。
【０１２７】
本主題開示の別の態様によれば、プロセッサと、このプロセッサに作動的に結合されたメモリとを備える、コンピュータネットワーク内のネットワークノードとして機能するように構成された装置も提案され、プロセッサは、フロントホールネットワークを管理する上記の方法を実行するように構成される。
【０１２８】
図９は、本主題開示の実施形態による、スイッチコントローラ機能を実装するように構成された一例示のネットワークノード１０１を示している。
【０１２９】
ネットワークノード１０１は、制御エンジン１０２と、ネットワーク管理エンジン１０３と、データ通信エンジン１０４と、メモリ１０５とを備える。
【０１３０】
図９上で示されるアーキテクチャでは、ネットワーク管理エンジン１０３、データ通信エンジン１０４、及びメモリ１０５の全てが、制御エンジン１０２を通して互いに作動的に結合されている。
【０１３１】
１つの実施形態では、ネットワーク管理エンジン１０３は、ネットワーク管理のための提案される方法の実施形態の種々の態様を実行するように構成される。例えば、上記で説明したように、ＣＵが、ダウンリンクにおいて、１つ以上のＤＵに送信すべきＣＰＲＩ信号に基づいてＥｔｈｅｒｎｅｔパケットを生成するように構成され、各ＥｔｈｅｒｎｅｔパケットがＣＵのＭＡＣアドレス及び宛先ＤＵのＭＡＣアドレスを含む実施形態では、ネットワーク管理エンジン１０３は、いずれのＤＵがアクティベートされるべきかを決定し、それに応じて、生成されたＥｔｈｅｒｎｅｔパケット内の宛先ＭＡＣアドレスの更新を制御するように構成することができる。他の実施形態では、ネットワーク管理エンジン１０３は、ＤＵと更新された発信元ＭＡＣアドレスに対応する異なるＣＵとの間のデータ通信リンク又はパスをアクティベートするように、生成されたＥｔｈｅｒｎｅｔパケット内の発信元ＭＡＣアドレスの更新を制御するように構成することができる。
【０１３２】
いくつかの実施形態では、ネットワーク管理エンジン１０３は、実施態様に応じて、ネットワーク管理ノード（１０１）又はその要素と共同配置することができるデータベースサーバ（図示せず）に作動的に接続されるように構成することができる。データベースサーバは、例えばＣａｓｓａｎｄｒａ  ＮｏＳＱＬデータベース技術を用いて実装されるＮｏＳＱＬデータベースとすることができ、本主題開示に従ってスイッチ／アソシエーション行列を表すデータを記憶するように構成することができる。いくつかの実施形態では、データベースサーバは、場合によっては時間情報及び／又は位置情報に関連付けられた、フロントホール構成を表すデータを記憶するように構成することができる。例えば、データベースサーバは、フロントホール構成のセットを記憶するように構成することができ、各フロントホール構成がスイッチ／アソシエーション行列を表すデータを含み、各フロントホールアソシエーションが時間情報及び／又はＨＳＴ位置情報に関連付けられ、それにより、フロントホールネットワークは、ＨＳＴのその鉄道トラック上の位置に基づいて、及び／又はその鉄道トラック上で走行するＨＳＴのタイミング情報に基づいて構成することができる。いくつかの実施形態では、データベースサーバは、フロントホールネットワークを構成するのに現在用いられるスイッチ／アソシエーション行列を表すデータを含む現在のフロントホールネットワーク構成を記憶するように更に構成することができる。
【０１３３】
１つの実施形態では、データ通信エンジン１０４は、ノード１０１がデータ通信エンジン１０４を通して通信可能に接続されるスイッチ／アソシエーション行列に対してシグナリングデータを受信及び送信するように構成される。
【０１３４】
本主題開示の実施形態では、データ通信エンジン１０４及びネットワーク管理エンジン１０３は、本主題開示の実施形態に従ってフロントホールネットワーク構成を決定するという目的で協調方式で動作する。
【０１３５】
制御エンジン１０２は、それぞれが１つ以上のプロセッサを含む１つ以上のコンピュータを含み、各プロセッサは、任意の適切なマイクロプロセッサ、マイクロコントローラ、フィールドプログラマブルゲートアレイ（ＦＰＧＡ）、特定用途向け集積回路（ＡＳＩＣ）、デジタル信号処理チップ、及び／又は状態機械、又はその組み合わせとすることができる。種々の実施形態によれば、コンピュータのうちの１つ以上を、並列計算を提供するための複数のプロセッサを有するマルチプロセッサコンピュータとして構成することができる。また、制御エンジン１０２は、プロセッサによって実行されるときに、プロセッサに本明細書において説明される要素を実行させるコンピュータプログラム命令又はソフトウェアコードを記憶することができる、限定はしないが、メモリ１０５等のコンピュータ記憶媒体を備えることができるか、又はコンピュータ記憶媒体と通信することができる。さらに、メモリ１０５は、ネットワークノード１０１が属するコンピュータネットワークを表すデータ構造を記憶することができ、制御エンジン１０２に結合され、それに関連付けて記憶されるデータの管理及び処理を容易にするためにデータ通信エンジン１０４及びネットワーク管理エンジン１０３とともに動作可能である、任意のタイプのデータ記憶コンピュータ記憶媒体とすることができる。
【０１３６】
図９を参照しながら図示及び説明されるネットワークノード１０１は一例として与えられるにすぎないことは理解されよう。数多くの他のアーキテクチャ、動作環境及び構成が可能である。ノードの他の実施形態は、より少ない数、又はより多くの数のコンポーネントを含む場合があり、図９に示されるネットワークノードコンポーネントに関して説明された機能のいくつか又は全てを組み込む場合がある。したがって、制御エンジン１０２、ネットワーク管理エンジン１０３、データ通信エンジン１０４及びメモリ１０５がネットワークノード１０１の一部として示されるが、コンポーネント１０２〜１０５の場所及び制御に関して制約は課せられない。特に、他の実施形態では、コンポーネント１０２〜１０５は、例えばスイッチコントローラの実施形態（集中化、準分散、分散）に関して上記で説明したように、異なるエンティティ又はコンピューティングシステムの一部とすることができる。
【０１３７】
本主題開示の実施形態による方法及び装置は、特に従来の列車通信システムに対して、以下の利点を提供する。
【０１３８】
列車通信システムにおける現行技術水準に対する本発明の利点は、以下のように与えられる。
【０１３９】
本主題開示は、フロントホールネットワーク配備の融通性を改善する適応的アーキテクチャを提案する。例えば、単一の配備が、再構成可能なスイッチ／アソシエーション行列及びスイッチコントローラのいくつかの実施形態における使用を通じて、多様なトラフィック強度に対処することが可能である。従来のシステムは、本質的に、静的で再構成可能でないスイッチを提案している。
【０１４０】
本主題開示は、フロントホールネットワーク構成及びトポロジーを列車の位置及び速度に適応させることによって、列車、特にＨＳＴ列車上のモバイル端末に提供されるスループットを改善する手段を更に提案する。フロントホールネットワークの適応は、いくつかの実施形態では、アクティブＤＵに実行されるスループットの総和を最大化する、中央ユニットＣＵと、線路側分散ユニットとの中からのアソシエーションを選択することによって実行することができる。
【０１４１】
本主題開示は、いくつかの実施形態では、線路における伝播状況及び／又は列車の速度及び位置に基づいてフロントホールネットワークの冗長性を設定及び更新することによって、ネットワーク全体のレジリエンシーを改善することを更に提案する。
【０１４２】
本主題開示は、いくつかの実施形態では、利用可能なＣＵ−ＤＵアソシエーションから最も高速のアソシエーションを選択すること、及びモバイルエッジコンピューティングを用いることによって、フロントホール及びフロントホール再構成のレイテンシーを低減させる技法を更に提案する。より詳細には、いくつかの実施形態では、スイッチコントローラは、提案される方法の反応を高めるために、スイッチ／アソシエーション行列に近接して位置することができる。
【０１４３】
本主題開示は、有利には、いくつかの実施形態ではＣＵ−ＤＵアソシエーション内に含まれる中央ユニット（ＣＵ）の数の削減のための技法が提案されるので、エネルギー節約も可能にすることができ、それにより、アクティブ／測定ＤＵの所与のセットについての消費電力も節約される。
【０１４４】
本発明は好ましい実施形態に関して説明されてきたが、添付の特許請求の範囲によって規定されるような本発明の趣旨又は範囲から逸脱することなく、本発明に対して種々の変更及び／又は修正を加えることができることは当業者には容易に理解されよう。
【０１４５】
本発明は或る特定の好ましい実施形態との関連で開示されてきたが、そのシステム、デバイス及び方法の或る特定の利点、特徴及び態様は種々の他の実施形態において実現される場合があることは理解されたい。さらに、本明細書において説明される種々の態様及び特徴は、別々に実践することができるか、互いに組み合わせることができるか、又は互いに代用することができること、並びに特徴及び態様の種々の組み合わせ及び部分的な組み合わせを行うことができ、それでも本発明の範囲に入ることを意図している。さらに、上記のシステム及びデバイスは、好ましい実施形態において説明されたモジュール及び機能の全てを含む必要はない。
【０１４６】
本発明において説明される情報及び信号は、種々の異なる技術及び技法のいずれかを用いて表すことができる。例えば、データ、命令、コマンド、情報、信号、ビット、シンボル及びチップは、電圧、電流、電磁波、磁界若しくは磁気粒子、光場若しくは光子、又はその任意の組み合わせによって表すことができる。
【０１４７】
実施形態に応じて、本明細書において説明された方法のいずれかの或る特定の動作、イベント又は機能は、異なる順序において実行することができるか、追加されるか、統合されるか、又は全て除外される場合がある（例えば、方法を実践するために、説明される全ての動作又はイベントが必要とされるとは限らない）。さらに、或る特定の実施形態では、動作又はイベントは、順次にではなく、同時に実行される場合がある。
【図１】
2021526758.tif 000003
【図２】
2021526758.tif 000004
【図３】
2021526758.tif 000005
【図４】
2021526758.tif 000006
【図５】
2021526758.tif 000007
【図６】
2021526758.tif 000008
【図７】
2021526758.tif 000009
【図８】
2021526758.tif 000010
【図９】
2021526758.tif 000011
【国際調査報告】
2021526758.tif 000012
2021526758.tif 000013